(57)【特許請求の範囲】
【請求項１】
被加熱物を載置する天面と、前記被加熱物を加熱する加熱手段とを備えた加熱調理器において、
該加熱調理器の本体ケーシング内部に、前記加熱手段の動作状態及び／或いは設定状態を表示する液晶表示素子を備えた液晶表示装置を設け、
前記天面の少なくとも一部を透明材料からなる観察窓とし、
前記液晶表示装置は、前記液晶表示素子の情報表示面を前記観察窓の下方に位置させ、
前記液晶表示素子と観察窓とを非接触状態に配設し、
前記本体ケーシング内部に気流を発生させる気流発生手段を備え、
前記本体ケーシングは、前記本体ケーシング内部に外気を取り入れるための取り入れ口と、本体ケーシング内部を通過した気流を外部に排出する排出口と、前記本体ケーシング内部に気流を通過させる風路とを形成し、
前記液晶表示装置を前記風路中に配置し、
前記観察窓と液晶表示装置の液晶表示素子との間に前記気流を通過させる隙間を設け、
前記液晶表示装置の底部に切欠き部を設けた
ことを特徴とする加熱調理器。
【請求項２】
前記液晶表示装置が配置される風路は、通過する気流が前記加熱手段及び前記本体ケーシング内に備えられた発熱部材から隔離されるように形成したことを特徴とする請求項１に記載の加熱調理器。
【請求項３】
前記液晶表示素子の外周を覆う枠体を設け、前記枠体の上面は前記天面と対向する部分に開口を有し、かつ前記液晶表示素子の情報表示面を前記枠体の上面より低くなるように形成したことを特徴とする請求項１又は請求項２に記載の加熱調理器。
【請求項４】
前記枠体の底面又は側面に切欠き部を設けたことを特徴とする請求項３に記載の加熱調理器。
【請求項５】
前記枠体の上面に透明材料からなる板状部材を設け、
前記液晶表示素子の情報表示面と前記天面との間に空気層を形成したことを特徴とする請求項３又は請求項４に記載の加熱調理器。
【請求項６】
前記板状部材を前記観察窓に向かって湾曲形状に形成したことを特徴とする請求項５に記載の加熱調理器。
【請求項７】
前記枠体の壁面のうち、前記空気層を形成する部分に切欠き部を設けたことを特徴とする請求項５又は請求項６に記載の加熱調理器。
【発明の詳細な説明】
【０００１】
【発明の属する技術分野】
本発明は、本体天面に被加熱物を載置して調理を行う加熱調理器、特に液晶表示装置を備えた加熱調理器の改良に関する。
【０００２】
【従来の技術】
近年、電気コンロ型の加熱調理器はガスコンロに比べて安全で、火を使わないことから燃焼による空気の汚染が少ないなどの様々な利点を有し、需要が伸びてきている。従来、この種の電気コンロ型の加熱調理器の加熱状態や設定状態などを表示する方法として、ランプやＬＥＤなどの発光素子を用いて操作部面に表示する構成が一般的である。このランプやＬＥＤなどの発光素子による表示は、予め表示する情報をシート状にして作成しておき、そのシート下面よりランプやＬＥＤなどの発光素子を発光させて情報表示するというものである。以下、その構成について図１０を参照にしながら説明する。
【０００３】
図１０に示すように、本体を構成するケース５１と、被加熱調理容器５２を載置する天板５３と、天板５３の下方に位置する加熱コイル５４と、被加熱調理容器５２の温度を検知する温度センサー５５と、加熱コイル５４の出力を制御する出力制御部と、出力制御部５６を冷却する送風機５７と、電源の入／切を行う電源スイッチ５８と、電源スイッチ５８の入／切を表示する電源表示部５９と、出力の設定を行う出力設定部６０と、出力の設定を表示する出力表示部６１と、天板５３の前方部に位置する第２の出力表示部６２と、加熱を表示する加熱状態表示部６３にて構成される。
【０００４】
このような従来の加熱調理器においては、電源スイッチ５８を動作させると電源表示部５９が点灯し電源の入／切を表現する。さらに調理物の入った被加熱調理容器５２を天板５３に載置し、出力設定部６０を動作させると出力表示部６１が点灯し、出力の設定を表示するとともに加熱が開始される。また、同時に第２の出力表示部６２が点灯し出力の設定が表示される。さらに温度センサー５５にて検知した温度状態に応じて加熱状態表示部６３が点灯し加熱状態が表示される。
【０００５】
【発明が解決しようとする課題】
上記のような従来の加熱調理器では、予め表示する情報をシート状にするため、シート内に表示できる情報量が限られてしまい同一箇所に多数の情報を表示することができず、多数の情報を表示するときには図１０に示すように出力設定部６０や出力表示部６１、第２の出力設定部６２、加熱状態表示部６３などと複数の表示部が必要であり、部品点数が増えて見づらいという問題点があった。さらに、出力設定部６０や出力表示部６１のように実際に調理を行なう部分とが視覚的に分離されていると、把握がし難いという問題点もあった。
【０００６】
この発明は、上述のような課題を解決するためになされたもので、天面に被調理物を載置して加熱を行うものにおいて、加熱状態や設定状態など多数の情報を加熱調理しながら見易いものとした加熱調理器を得るものである。
【０００７】
【課題を解決するための手段】
この発明に係る加熱調理器においては、被加熱物を載置する天面と、前記被加熱物を加熱する加熱手段とを備えた加熱調理器において、該加熱調理器の本体ケーシング内部に、前記加熱手段の動作状態及び／或いは設定状態を表示する液晶表示素子を備えた液晶表示装置を設け、前記天面の少なくとも一部を透明材料からなる観察窓とし、前記液晶表示装置は、前記液晶表示素子の情報表示面を前記観察窓の下方に位置させ、前記液晶表示素子と観察窓とを非接触状態に配設し、前記本体ケーシング内部に気流を発生させる気流発生手段を備え、前記本体ケーシングは、前記本体ケーシング内部に外気を取り入れるための取り入れ口と、本体ケーシング内部を通過した気流を外部に排出する排出口と、前記本体ケーシング内部に気流を通過させる風路とを形成し、前記液晶表示装置を前記風路中に配置し、前記観察窓と液晶表示装置の液晶表示素子との間に前記気流を通過させる隙間を設け、前記液晶表示装置の底部に切欠き部を設けたものである。
【０００８】
また、前記液晶表示装置が配置される風路は、通過する気流が前記加熱手段及び前記本体ケーシング内に備えられた発熱部材から隔離されるように形成したものである。
【０００９】
また、前記液晶表示素子の外周を覆う枠体を設け、前記枠体の上面は前記天面と対向する部分に開口を有し、かつ前記液晶表示素子の情報表示面を前記枠体の上面より低くなるように形成したものである。
【００１０】
また、前記枠体の底面又は側面に切欠き部を設けたものである。
【００１１】
また、前記枠体の上面に透明材料からなる板状部材を設け、前記液晶表示素子の情報表示面と前記天面との間に空気層を形成したものである。
【００１２】
また、前記板状部材を前記観察窓に向かって湾曲形状に形成したものである。
【００１３】
また、前記枠体の壁面のうち、前記空気層を形成する部分に切欠き部を設けたものである。
【００１４】
【発明の実施の形態】
実施の形態１．
図１はこの発明の実施の形態１である加熱調理器を示す概要構成斜視図、図２は図１の矢印Ａ−Ａでの断面図、図３は図１のＢ−Ｂ断面図、図４は図１のＣ−Ｃ断面図である。なお、実施の形態１ではＩＨクッキングヒータで本発明の加熱調理器を説明する。
【００１５】
１は加熱調理器であるＩＨクッキングヒータで、本体天面２に被加熱物（図示せず）を載置して加熱調理を行なう。３は天面２に備えた天板で、被加熱物（図示せず）を電磁誘導加熱によって加熱する加熱部４、５とヒータによって加熱するヒータ加熱部６が設けられている。７はＩＨクッキングヒータ１の手前側面部で、加熱部４、５、６の加熱出力の調整などの様々な操作を行う操作ツマミ８及び操作ボタン９などを有している。１０は天板３の少なくとも一部に透明材料によって形成された観察窓である。前記観察窓１０から本体ケーシング内部に備えられた液晶表示装置に表示された情報が観察可能となっている。
【００１６】
２２は操作部８の横に備えられた両面焼きロースター、１１は天面２の奥手左側に設けられ、両面焼きロースタ２２内の排気を排出する排気口、１２は天面２の奥手右側に設けられ、ＩＨクッキングヒータ１内の電気回路などの発熱要素を冷却する外気を取り入れる吸気口で、該吸気口１２から吸い込まれた空気はＩＨクッキングヒータ１内部の発熱要素を通過して側面排気穴１３から外部に放出される。１４は排気口１１及び吸気口１２をそれぞれ被うフィルターで、ＩＨクッキングヒータ１内部への埃や異物の侵入を防止している。
【００１７】
２３は電磁誘導コイルからなるＩＨヒータ、１５は送風ファンで、フィルター１４を介して吸気口１２から外気を吸込み、吸気された外気は本体ケーシング内部のＩＨヒータ２３を駆動させるインバータ基板１６の放熱フィン１７等の発熱要素を通過して冷却しながら排気穴１３より外部に排気する。１８は発熱要素が良好に冷却されるように風路を形成する風路板、１９はＩＨクッキングヒータ１内部を上下に分割する分割板で、主にロースター２２が設けられている下部側にも送風ファン１５によって吸気された外気が送風される。２０はＩＨクッキングヒータ１の後面下部に設けた排気穴で、ＩＨクッキングヒータ１の下部側内に送風された外気を外部に排出させる。２１はロースター２２内部の排気を行なう排気経路、２３，２４は加熱部４の加熱手段である電磁誘導コイルからなるＩＨヒータ、２５は加熱部６に載置される被加熱物（図示せず）を加熱するヒータ、２６はＩＨクッキングヒータ１の動作状態及び／或いは設定状態を表示する液晶表示装置で、分割板１９の上部側の空間２７の天板３に形成した観察窓１０の下方、本実施の形態１では真下に配設される。
【００１８】
このように構成された加熱調理器においては、被調理物（図示せず）を天面２の天板３上に載置し、加熱部４，５またはヒータ加熱部６によって加熱調理を行う。そして、観察窓１０からは液晶表示装置２６に表示される動作状態及び／或いは設定状態を観察することができる。このとき、本体ケーシング内部では、送風ファン１５よりなる気流発生手段によって吸気口１２から外気が取り入れられ気流が発生し、その気流が分割板１９により上下に分割された本体ケーシング内部を通過して側面排気穴１３から外部に放出される。そして、熱に弱い液晶表示装置２６は分割板１９により上下に分割された本体ケーシングの上部側の風路２７内に配設されているため、通過する気流によって効率よく冷却され、温度上昇を抑えることができ、液晶表示装置２６は天板３の観察窓１０に設定や加熱出力等の情報を表示することが可能となり、操作性や利便性が向上する。
【００１９】
このように、加熱調理器の動作状態及び／或いは設定状態を表示し得る液晶表示装置２６を風路２７内に配置することで熱に弱い液晶表示装置２６を加熱部４、５、６が設けられている天板３の観察窓１０の下方に設けることができ、複数の表示手段を形成しなくとも多数の情報を表示することが可能な加熱調理器を提供することができる。
特に液晶表示装置２６は、熱の影響に非常に敏感で高温になる天面２に液晶表示装置２６を設けると液晶による表示ができなくなるため、天面２に液晶表示装置２６を設けることは非常に困難であったが、本発明により天面２に液晶による情報表示が可能となる。
【００２０】
実施の形態２．
図５はこの発明の実施の形態２である加熱調理器の液晶表示素子取付部分の拡大横面図である。図において、上記実施の形態１と同一部分には同一の符号を付し、その説明は省略する。２８は本体ケーシングの天板３の観察窓１０と液晶表示装置２６の情報表示面との間に形成する隙間で、液晶表示装置２６は前記隙間２８を設けて本体ケーシングの側面部２９に固定されている。４４は被加熱物、４５は熱の移動を示す矢印である。
【００２１】
このような構成にすることで、被加熱物４４を天板３に設けている加熱部（図示せず）で加熱することでその熱が矢印４５に示すように熱伝導により天板３にが高温になってしまっても、天板３と液晶表示装置２６との間には隙間２８により空気の層が形成されているので、高温となった天板３の熱が液晶表示装置２６へ伝導することを抑えることができ、さらに隙間２８に形成される空気の層は気流発生手段１５によって絶えず流れているので液晶表示装置２６への熱伝導の阻止をさらに良好に行うことができる。したがって、高温になってしまう天板３の熱によって液晶表示装置２６が情報表示できなくなるという不具合を無くすことができ、熱に弱い液晶表示装置２６であっても動作状態及び／或いは設定状態を良好に表示することが可能となり、諸情報の見易い加熱調理器を得ることができる。
【００２２】
実施の形態３．
また、図６に示すように、液晶表示装置２６の底部に切欠き部３０を設けることで、液晶表示装置２６の内部にも空間２７内の気流を通過させることができ、液晶表示装置２６の冷却効率をさらに向上させることができる。
【００２３】
なお、液晶表示装置２６の取りつけについては、高温に加熱される天板３ではなく本体ケーシングの側面部２９に取り付けることで、被加熱物への加熱の影響が少なく、液晶表示装置２６の冷却効率をさらに向上させることができる。
また、本体ケーシング下部の例えば分割板１９から液晶表示装置２６の情報表示面を天板３の観察窓１０から観察可能に突設しても同様の効果を奏する。
【００２４】
さらに、天板３と液晶表示装置２６との隙間２８の大きさとしては少なくとも０．１ｍｍ以上、さらには０．５ｍｍ以上の隙間の大きさであることが好適である。この隙間が狭すぎると十分な空気による断熱が得られず、また気流発生手段による気流が隙間２８を通り抜けづらくなるためである。また、最大の大きさは１０ｍｍ以下とすることが望ましく、大きすぎると観察窓１０から液晶表示装置２６の液晶表示面が遠くなってしまい見ずらいものとなってしまい、さらには液晶表示面を観察したときに隙間２８が見えてしまうため意匠的にも見た目が悪くなってしまう。
【００２５】
実施の形態４．
また、図２〜４に示したように、上記実施の形態１〜３では、気流発生手段である送風ファン１５により発生される気流が通過する風路は風路板１８によってある程度定められており、本体内部の空間２７に気流を通すようにしているが、さらに明確に各部材を通過する風路を形成して液晶表示装置への熱の伝導の防止及び冷却効率の向上を図ることもできる。そして、このような風路を形成した場合は、前記液晶表示装置２６が配置される風路を通過する気流は、加熱手段２３、２４、２５及び前記本体ケーシング内に備えられた放熱フィン１７などの発熱部材から隔離されていることが好適である。
【００２６】
なお、このような風路を形成する方法としては、風路板等を用いてもよいし、チューブなどを用いても良くこのような風路の形成方法に特に限定はなく、例えばこのような風路として天面２の上面に設けられた吸気口１２から冷却対象となる液晶表示装置２６や発熱要素まで形成され、その後は特に風路を形成せずに空間２７を介して排気口１３より排気する構成や吸気口１２から排気口１３まで連通する風路を形成したものであってもよい。このような構成であると、冷却に使用される気流が冷却対象に到達するまでに暖められることがないため冷却効率が向上する。また、吸気口１２から排気口１３までの一連の連通する風路を形成すれば、冷却効率のさらなる向上を図ることができる。
【００２７】
実施の形態５．
図７はこの発明の実施の形態５の加熱調理器の液晶表示装置を示すもので、図７（ａ）は液晶表示装置の側面図、図７（ｂ）は液晶表示装置の上面図である。図において、上記実施の形態１〜４と同一部分には同一符号を付し、その説明は省略する。３２は液晶表示装置２６の液晶表示素子３１の外周を覆う枠体、３３は液晶表示素子３１の情報表示面、３４は枠体３２の上面である。そして、前記枠体３２は天板３に対向する部分に開口を有し、液晶表示素子３１の情報表示面３３を前記枠体３２の上面より低くなるように形成したものである。
【００２８】
このような構成の加熱調理器においては、天板３の監視窓１０の下方に枠体３２で被われた液晶表示装置２６を配設すると、天板３と液晶表示素子３１との間に距離を確保することができ、情報表示面３３が天板３から距離が多少遠くなっても枠体３２によって天板３の観察窓１０から観察される液晶の表示状態に違和感を与えず、意匠性も向上するという効果がある。
【００２９】
実施の形態６．
さらに、図８（ａ）および図８（ｂ）に示すように、前記枠体３２の上面３４に透明材料による板状部材３５を取り付ければ液晶表示素子３１の情報表示面３３との間に空気層３６が形成され、空気層３６が断熱層として良好に働き、さらに天板３からの温度の影響を受け難くすることが可能である。
【００３０】
また、図８（ｃ）に示すように、板状部材３５を観察窓１０に向かって湾曲形状とすれば、レンズ作用などによりさらに液晶表示素子に表示される情報が見易くなる。
【００３１】
なお、このような板状部材を用いた構造とすれば、液晶表示装置２６への断熱性が向上するため、温度上昇を抑えることが可能となる。よって、必ずしも液晶表示装置２６を気流中に配置しなくてもよいし、気流中に配置することでさらに良好に温度の影響を排除できる。
【００３２】
また、図８（ｄ）のように枠体３２の底面に切り欠き部３０ａを設けたり、図８（ｅ）のように枠体３２の側面や空気層３６部分を形成する壁面に切り欠き部３０ｂ、３０ｃを設けて空間２７内に配設すれば、液晶表示装置２６の内部に気流を通過させることができ、液晶表示装置２６の冷却効果をさらに向上させることができる。
【００３３】
実施の形態７．
また、図９（ａ）に示すように、板状部材３５の上面に気流が通過可能な状態で突起３７を設けて天板からの距離を確実に確保するようにすれば、図９（ｂ）に示すように上記実施の形態６と同様の効果を奏することができる。
【００３４】
なお、液晶表示装置２６に表示された情報を観察するため、観察窓１０の天板３における配置位置については、図１に示すように、天板３縦方向においては天板３に備えられた最も手前側の被加熱物（図示せず）を加熱するための加熱部４及び／または加熱部５の中心を通って天板３の横辺と平行に設定される線４１より手前側にあり、横方向では略中央部に設けられていることが好適である。詳しく説明すると、天板３の縦方向とは矢印３９で示す本体正面から見て奥手方向のことで、横方向とは矢印３９で示す本体の幅方向のことであり、ＩＨクッキングヒータ１の本体正面から見て最も手前側にある加熱部は４、５となり、この加熱部４、５の中心４２、４３を通って天板の横辺４０と平行に設定される線４１を想定するのである。観察窓１０は、この線４１より手前側に設けられることが好適であるということである。
【００３５】
つまり、加熱調理時には加熱部に鍋などの被調理物が載置されることとなり、該被調理物は円筒形である物が多く、加熱部４、５に調理機材が載置されたとき前記線４１で被調理物同士が最も近接する。このため、高さの高い被調理物などを用いて加熱料理を行う場合、この線４１より奥に観察窓１０を備えたとしても被調理物によって隠れてしまい観察窓１０が見づらくなってしまう。したがって、線４１より手前側に観察窓１０を配置することによって、加熱調理時にいつでも液晶表示装置２６に表示された情報の観察を行うことができるようにしたものである。
【００３６】
また、観察窓１０は横方向では略中央部付近に設けられていることが好適で、加熱調理時に加熱部４、５に鍋などの被調理物が載置された際、前述のように被調理物は円筒形である物が多いことから、被調理物で隠されないスペースとしてその両端と中央近傍が最も大きいスペースを有する。そして、その両端のどちらか一方に観察窓１０を設けた場合、加熱部４、５のうち観察窓１０から遠い方で加熱調理を行うと観察窓１０を観察しづらくなる。また両端にそれぞれ加熱部４、５の情報を表示する観察窓１０を設けた場合には、加熱部４、５のどちらか一方のみで調理を行っていれば良いが、加熱部４、５で同時に調理を行うには、一方の観察窓１０が見づらくなってしまい使い勝手が悪くなる。このため、天板３の中央部付近に観察窓１０を設ければ、加熱部４、５、６いずれで加熱調理を行っても、好適に液晶表示装置２６に表示される情報を観察することができる。
【００３７】
なお、上記実施の形態１〜７においては、加熱手段自体の発熱が少ない電磁誘導加熱によるヒータを加熱手段として用いた例を挙げて説明したが、本発明はこれに限られるものではなく、様々な形態の電気コンロに設けることが可能である。
【００３８】
【発明の効果】
この発明は、以上説明したように構成されているので、以下に示すような効果を奏する。
【００３９】
被加熱物を載置する天面と、前記被加熱物を加熱する加熱手段とを備えた加熱調理器において、該加熱調理器の本体ケーシング内部に、前記加熱手段の動作状態及び／或いは設定状態を表示する液晶表示素子を備えた液晶表示装置を設け、前記天面の少なくとも一部を透明材料からなる観察窓とし、前記液晶表示装置は、前記液晶表示素子の情報表示面を前記観察窓の下方に位置させ、前記液晶表示素子と観察窓とを非接触状態に配設し、前記本体ケーシング内部に気流を発生させる気流発生手段を備え、前記本体ケーシングは、前記本体ケーシング内部に外気を取り入れるための取り入れ口と、本体ケーシング内部を通過した気流を外部に排出する排出口と、前記本体ケーシング内部に気流を通過させる風路とを形成し、前記液晶表示装置を前記風路中に配置し、前記観察窓と液晶表示装置の液晶表示素子との間に前記気流を通過させる隙間を設け、前記液晶表示装置の底部に切欠き部を設けたので、温度の影響を受けやすい液晶表示装置を熱から保護することが可能となり、液晶表示装置による動作状態や設定状態の見易い加熱調理器を得ることができる。
また、液晶表示装置の内部に気流を通過させることができ、液晶表示装置の冷却効率を向上させることができる。
【００４０】
また、前記液晶表示装置が配置される風路は、通過する気流が前記加熱手段及び前記本体ケーシング内に備えられた発熱部材から隔離されるように形成したので、効率よく液晶表示装置を冷却することができる。
【００４１】
また、前記液晶表示素子の外周を覆う枠体を設け、前記枠体の上面は前記天面と対向する部分に開口を有し、かつ前記液晶表示素子の情報表示面を前記枠体の上面より低くなるように形成したので、温度の影響を受けやすい液晶表示装置を熱から保護することが可能となり、液晶表示装置による見易い表示を行うことができる。
【００４２】
また、前記枠体の底面又は側面に切欠き部を設けたので、液晶表示装置の内部に気流を通過させることができ、液晶表示装置の冷却効率を向上させることができる。
【００４３】
また、前記枠体の上面に透明材料からなる板状部材を設け、前記液晶表示素子の情報表示面と前記天面との間に空気層を形成したので、空気層が断熱層として良好に働き、液晶表示装置への天板からの温度の影響を受け難くすることが可能となり、液晶表示装置による見易い表示を行うことができる。
【００４４】
また、前記板状部材を前記観察窓に向かって湾曲形状に形成したので、レンズ作用などにより液晶表示装置に表示される情報が見易くなる。
【００４５】
また、前記枠体の壁面のうち、前記空気層を形成する部分に切欠き部を設けたので、液晶表示装置の内部に気流を通過させることができ、液晶表示装置の冷却効率を向上させることができる。
【図面の簡単な説明】
【図１】  この発明の実施の形態１である加熱調理器を示す概要構成斜視図である。
【図２】  この発明の実施の形態１である加熱調理器を示す図１のＡ−Ａ断面図である。
【図３】  この発明の実施の形態１である加熱調理器を示す図１のＢ−Ｂ断面図である。
【図４】  この発明の実施の形態１である加熱調理器を示す図１のＣ−Ｃ断面図である。
【図５】  この発明の実施の形態２である加熱調理器を示す液晶表示装置の取付部分の拡大横面図である。
【図６】  この発明の実施の形態３である加熱調理器を示す液晶表示装置の取付部分の拡大横面図である。
【図７】  （ａ）この発明の実施の形態５である加熱調理器を示す液晶表示装置の側面図である。
（ｂ）この発明の実施の形態５である加熱調理器を示す液晶表示装置の上面図である。
【図８】  （ａ）この発明の実施の形態６である加熱調理器を示す液晶表示装置の側面図である。
（ｂ）この発明の実施の形態６である加熱調理器を示す液晶表示装置の取付部分の拡大断面図である。
（ｃ）この発明の実施の形態６である加熱調理器を示す液晶表示装置の側面図である。
（ｄ）この発明の実施の形態６である加熱調理器を示す液晶表示装置の側面図である。
（ｅ）この発明の実施の形態６である加熱調理器を示す液晶表示装置の断面図である。
【図９】  （ａ）この発明の実施の形態７である加熱調理器を示す液晶表示装置の側面図である。
（ｂ）この発明の実施の形態７である加熱調理器を示す液晶表示装置の断面図である。
【図１０】  従来の加熱調理器を示す概要斜視図である。
【符号の説明】
１  ＩＨクッキングヒータ、２  天面、３  天板、１０  観察窓、２３  ＩＨヒータ、２４  ＩＨヒータ、２５  ヒータ、２６  液晶表示装置。
【図１】
0003921586.tif 000002
【図２】
0003921586.tif 000003
【図３】
0003921586.tif 000004
【図４】
0003921586.tif 000005
【図５】
0003921586.tif 000006
【図６】
0003921586.tif 000007
【図７】
0003921586.tif 000008
【図８】
0003921586.tif 000009
【図９】
0003921586.tif 000010
【図１０】
0003921586.tif 000011